(57)【要約】【課題】暗色調を維持しながら表示部の視認性が良好な表示装置を提供する。【解決手段】無色透明な基板に設けられた不透過性の地色層と、この地色層に抜き部を設けることによって形成された表示部とを有する表示板８と、この表示板８の前方側を被う無色透明な被い部材１５と、表示板８の背後に配置される透過性の半透明部材９と、この半透明部材９の背後に配置され表示部を透過照明する発光ダイオード１０Ａとを備える。【選択図】  図２
2004301687.tif 000002
【特許請求の範囲】
【請求項１】
無色透明な基板に設けられた不透過性の地色層と、この地色層に抜き部を設けることによって形成された表示部とを有する表示板と、この表示板の前方側を被う無色透明な被い部材と、前記表示板の背後に配置される透過性の半透明部材と、この半透明部材の背後に配置され前記表示部を透過照明する光源とを備えることを特徴とする表示装置。
【請求項２】
前記表示部に対応した前記基板の裏面側に無色透明な拡散層を設けたことを特徴とする請求項１に記載の表示装置。
【発明の詳細な説明】
【０００１】
【発明の属する技術分野】
本発明は、例えば自動車やオートバイをはじめとする各種車両に搭載される表示装置に関し、特に透視可能な表示部を設けた表示板の背後に表示部を彩って視認させる半透明部材を配置した表示装置に関するものである。
【０００２】
【従来の技術】
従来、この種の表示装置において、斬新さや高品質なイメージを与えるために表示装置の表示面を通常は暗色系としておいて、背後に配置した光源を点灯させた際に表示部が視認されるように構成したものとして、例えば特許文献１がある。特許文献１における指示計器（表示装置）の文字板５は、光透過性基板６の表面側に光を透過させる暗色系の地色層７を設けるとともに、光透過性基板６の裏面側に目盛２や数字３などの指標となる開口部１０１〜１０３を有する遮光層９を設けたものである。この様に構成することにより、通常は文字板５全面が暗色系で視認され、照明８点灯時には照明光が開口部１０１〜１０３を通って表面側に抜けて指標として明るく視認されるようになる。
【０００３】
【特許文献１】
特開平１１−１０５５８１号公報
【０００４】
【発明が解決しようとする課題】
しかしながら、オープンカーなどにおいて太陽光が表示装置を直射した場合、強い直射光が暗色系の地色層７で反射することによって照明灯が点灯しているにも関わらず指標が見えにくくなる。また、特許文献１の図５に示す従来例は、地色の部分と指標類の部分とが同一の暗色調ではないものの指標部分も多少暗色系に視認されるということで、暗色調を実現する手法の一つでもある。しかし、この従来例においては、照明灯が点灯していない状態で外光によって指標である開口部から基板を通して指示計器の内部（文字板の背後）が透けてしまう。透けた状態で視認される指標は一定の明るさ（色調）ではない。
【０００５】
本発明はこの様な点に鑑みなされたもので、暗色調を維持しながら表示部の視認性が良好な表示装置を提供することを目的とする。
【０００６】
【課題を解決するための手段】
本発明は前記課題を解決するため、無色透明な基板に設けられた不透過性の地色層と、この地色層に抜き部を設けることによって形成された表示部とを有する表示板と、この表示板の前方側を被う無色透明な被い部材と、前記表示板の背後に配置される透過性の半透明部材と、この半透明部材の背後に配置され前記表示部を透過照明する光源とを備えたものである。
【０００７】
また、前記表示部に対応した前記基板の裏面側に無色透明な拡散層を設けたものである。
【０００８】
【発明の実施の形態】
本発明を、車両用の表示装置を実施形態として説明する。図１は回転計１と速度計２を備えた表示装置の正面図を示し、図２は回転計１の断面図（図１におけるＡ−Ａ断面）であり、図３は回転計１に用いられる表示板の部分詳細断面図である。なお、図１に於いて速度計２の表示部は記載を省略する。
【０００９】
表示装置は、硬質な回路基板３と、この回路基板３の裏面側に回路基板３と導通状態で装着され、回路基板３を貫通して前方に延びる回動軸４を有する表示器本体５と、回動軸４の先端側に固着される指針６と、この指針６の後方に配置され指針６の動作に対応する目盛，数字などの表示部７を有する表示板８と、この表示板８の背後に配置され例えば乳白色の光透過性の合成樹脂からなる半透明部材９と、回路基板３上に実装され指針６や表示板８を背後から照明する光源としての発光ダイオード１０，１０Ａと、半透明部材９の背後であって半透明部材９と回路基板３との間に配置されたケース部材１１と、回路基板３の裏面側を覆うカバー１２と、表示板８の前方側に配置され表示板８の可視領域を定める開口部１３を有する黒色の見返し部材１４と、指針６や表示板８などの前方側を被う無色透明な被い部材１５を備えている。
【００１０】
指針６は、無色透明な合成樹脂からなる指示部１６と、指針軸１７と、指示部１６の基部周囲（指針軸１７の上方）を覆う遮光部材としての黒色の指針キャップ１８を備えている。この指針６は指針軸１７を表示器本体５の回動軸４の先端側に圧入することによって表示器本体５に固着されている。また、指示部１６の裏面には赤色の箔（図示せず）がホットスタンプされている。指針６の指示部１６は赤色で視認されるが、指針６照明用の発光ダイオード１０が点灯した際も、指示部１６の裏面に設けた赤色の箔に発光ダイオード１０から導かれた光が反射して赤色で視認されるようになっている。
【００１１】
表示板８は、図３に示す様に、無色透明な基板１９の表面側に車両のエンジン回転数を現す目盛，数字などの表示部７となる箇所を除いて、地部２０となる例えば黒色（不透過性）の地色層２１を印刷する。すなわち、表示部７は地色層２１に抜き部Ｘを設けることによって形成されるものである。また、基板１９の表面側には地色層２１や基板１９面を保護するための無色透明な保護層２２が設けてある。また、少なくとも表示部７に対応した基板１９の裏面側には無色透明な拡散層２３が印刷によって設けてある。
【００１２】
ケース部材１１は、遮光性のある白色の合成樹脂からなり、回動軸４周囲の指針６照明用の発光ダイオード１０と表示板８を照明する発光ダイオード１０Ａとの間に立設した筒部２４と、この筒部２４の周囲に設けられ、発光ダイオード１０Ａからの光を周囲に反射する第１の反射部２５と、発光ダイオード１０Ａ周辺から筒部２４を取り巻くように表示板８の周囲側に向かって傾斜して形成された第２の反射部２６と、半透明部材９あるいは表示板８が載置される前面部２７や外周壁２８などを有している。この様に、ケース部材１１は半透明部材９および表示板９を保持するとともに、反射部材としての役目も果たしている。
【００１３】
この様に構成された表示装置において、昼間時、発光ダイオード１０Ａが点灯していない状態では、表示板８の地部２０は地色層２１によって黒色で視認され、表示部７は抜き部Ｘを通して表示板８の背後に配置した半透明部材９が視認される。この際、半透明部材９の裏面側がケース部材１１で覆われたような状態である、すなわち半透明部材９の裏面側が暗い状態であるために、抜き部Ｘを通して視認される表示部７の色は暗さを帯びた乳白色として視認される（表示板８に乳白色の印刷層を設けた場合は乳白色がくっきりと視認されるが、表示板８とは別部材であるため暗さを帯びた状態となる）。また、太陽光が直射した場合は抜き部Ｘを通して乳白色の表示部７として視認される。
【００１４】
また、例えば白色で発光する発光ダイオード１０Ａが点灯した時は、発光ダイオード１０Ａから直接、あるいはケース部材１１の第２の反射部２６に反射して表示板８の裏面側に向かったそれぞれの光が半透明部材９を透過して表示部７を乳白色で視認させる。この際、発光ダイオード１０Ａからの光は半透明部材９および表示板８の裏面側に設けられている拡散層２３で拡散されるため、表示部７が均一に透過照明する。さらに、半透明部材９にシボなどの光拡散処理や網点印刷などの調光用処理を施すことによって、より均一な照明が可能となる。なお、太陽光が直射するような環境下にあっては、表示部７を透過する光以上に外光が強いため、表示部７は抜き部Ｘを通して視認される半透明部材９の色（乳白色）として視認される。
【００１５】
この様に、無色透明な基板１９に設けられた不透過性の地色層２１と、この地色層２１に抜き部Ｘを設けることによって形成された表示部７とを有する表示板８と、この表示板８の前方側を被う無色透明な被い部材１５と、表示板８の背後に配置される透過性の半透明部材９と、この半透明部材９の背後に配置され表示部７を透過照明する発光ダイオード１０Ａとを備えたことにより、暗色調を維持しながら、外光が直射するような場合であっても表示部７の視認性が良好な表示装置を得ることができる。
【００１６】
また、表示板８の表示部７に対応した基板１９の裏面側に無色透明な拡散層２３を設けたことにより、発光ダイオード１０Ａからの光が拡散されるため、表示部７が均一に透過照明される。
【００１７】
【発明の効果】
以上詳述したように、本発明によれば、暗色調を維持しながら表示部の視認性が良好な表示装置を得ることができる。
【図面の簡単な説明】
【図１】本発明の実施形態を示す表示装置の正面図。
【図２】同実施形態を示す表示装置の断面図（図１におけるＡ−Ａ断面）。
【図３】同実施形態を示す表示板の部分詳細断面図。
【符号の説明】
７  表示部
８  表示板
９  半透明部材
１０，１０Ａ  発光ダイオード（光源）
１５  被い部材
１９  基板
２１  地色層
Ｘ  抜き部
２３  拡散層
【図１】
2004301687.tif 000003
【図２】
2004301687.tif 000004
【図３】
2004301687.tif 000005